(57)【要約】【課題】誤挿入によるディスクの破損、損傷を防ぐことができるディスク装置を提供する。【解決手段】筐体には、ディスクを挿脱する挿脱口が開設されており、筐体の内部にはディスクを回転させるディスク回転駆動部が備えられている。シャッタ機構６に含まれるシャッタ板は、シフタ連結レバー５の回転により筐体の挿脱口を開放又は閉鎖する。スイッチシフタ７は、シフタ連結レバー５の動作に基づいて、ディスク回転駆動部へのディスクの装着完了を検出するローディング完了スイッチ８を作動させる。【選択図】図３
2011108332.tif 000002
【特許請求の範囲】
【請求項１】
ディスクを挿脱する挿脱口が開設された筐体と、
該筐体の内部に設けられたディスク回転駆動部と
を備え、
該ディスク回転駆動部に対してディスクを装着又は離脱させるディスク装置において、
前記挿脱口を開閉するシャッタと、
該シャッタの開閉を駆動するシャッタ駆動部材と、
該シャッタ駆動部材の動作に基づいて、前記ディスク回転駆動部へのディスクの装着完了を検出する検出手段と
を備える
ことを特徴とするディスク装置。
【請求項２】
前記検出手段は、
前記シャッタ駆動部材の動作に連動する連動部材と、
前記シャッタ駆動部材が前記シャッタを閉鎖する方向に所定位置まで動作する場合、前記連動部材の動作により前記ディスク回転駆動部へのディスクの装着完了を検出する検出部と
を有する
ことを特徴とする請求項１に記載のディスク装置。
【請求項３】
前記シャッタが挿脱口を閉じた状態で、前記シャッタの開放を規制する開放規制部材
を備える
ことを特徴とする請求項１又は請求項２に記載のディスク装置。
【請求項４】
前記開放規制部材は、前記シャッタ駆動部材に設けられている
ことを特徴とする請求項３に記載のディスク装置。
【請求項５】
前記シャッタ駆動部材は平板状をなし、前記ディスクの挿脱方向と略同一方向であって、該シャッタ駆動部材の面方向に位置する前記ディスク回転駆動部及びシャッタの間に配設されており、
前記開放規制部材は、前記シャッタ駆動部材から前記シャッタと対向する側に延設されている
ことを特徴とする請求項３又は請求項４に記載のディスク装置。
【請求項６】
前記開放規制部材は、自由端部が平板状をなし、
前記シャッタは、開放方向側に前記自由端部と当接可能な平面部を有する
ことを特徴とする請求項３から請求項５までのいずれか一項に記載のディスク装置。
【発明の詳細な説明】
【技術分野】
【０００１】
本発明は、シャッタを有するスロットイン方式のディスク装置に関する。
【背景技術】
【０００２】
スロットイン方式のディスク装置には、ディスクが挿脱口（スロット）からディスク装置内部に挿入された状態にある場合、さらにディスクがディスク装置に挿入されることを防止するため、挿脱口を閉鎖するシャッタが備えられている。例えば、特許文献１には、ディスク装置へのディスクの誤挿入を防止するシャッタを備えた誤挿入防止装置が開示されている。
【先行技術文献】
【特許文献】
【０００３】
【特許文献１】特開平８−２４９７７１号公報
【発明の概要】
【発明が解決しようとする課題】
【０００４】
しかしながら、従来のスロットイン方式のディスク装置では、シャッタの動作機構に突発的な不具合が生じた場合、ディスクの誤挿入を防止するはずのシャッタが開いた状態のままで、ディスクの回転が始まるときがある。かかる状態で、新たなディスクがディスク装置に誤挿入された場合、ディスクの破損、損傷を招くおそれがある。
【０００５】
本発明はかかる事情に鑑みてなされたものであり、誤挿入によるディスクの破損、損傷を防ぐことができるディスク装置を提供することを目的とする。
【課題を解決するための手段】
【０００６】
本発明に係るディスク装置は、ディスクを挿脱する挿脱口が開設された筐体と、該筐体の内部に設けられたディスク回転駆動部とを備え、該ディスク回転駆動部に対してディスクを装着又は離脱させるディスク装置において、前記挿脱口を開閉するシャッタと、該シャッタの開閉を駆動するシャッタ駆動部材と、該シャッタ駆動部材の動作に基づいて、前記ディスク回転駆動部へのディスクの装着完了を検出する検出手段とを備えることを特徴とする。
【０００７】
本発明に係るディスク装置は、前記検出手段は、前記シャッタ駆動部材の動作に連動する連動部材と、前記シャッタ駆動部材が前記シャッタを閉鎖する方向に所定位置まで動作する場合、前記連動部材の動作により前記ディスク回転駆動部へのディスクの装着完了を検出する検出部とを有することを特徴とする。
【０００８】
本発明に係るディスク装置は、前記シャッタが挿脱口を閉じた状態で、前記シャッタの開放を規制する開放規制部材を備えることを特徴とする。
【０００９】
本発明に係るディスク装置は、前記開放規制部材は、前記シャッタ駆動部材に設けられていることを特徴とする。
【００１０】
本発明に係るディスク装置は、前記シャッタ駆動部材は平板状をなし、前記ディスクの挿脱方向と略同一方向であって、該シャッタ駆動部材の面方向に位置する前記ディスク回転駆動部及びシャッタの間に配設されており、前記開放規制部材は、前記シャッタ駆動部材から前記シャッタと対向する側に延設されていることを特徴とする。
【００１１】
本発明に係るディスク装置は、前記開放規制部材は、自由端部が平板状をなし、前記シャッタは、開放方向側に前記自由端部と当接可能な平面部を有することを特徴とする。
【００１２】
本発明にあっては、シャッタは、ディスクを挿脱する挿脱口を開閉する。シャッタ駆動部材は、シャッタの開閉を駆動する。検出手段は、シャッタ駆動部材の動作に基づいて、筐体の内部に設けられたディスク回転駆動部へのディスクの装着完了を検出する。
【００１３】
本発明にあっては、検出手段は、連動部材と検出部とを有している。連動部材は、シャッタ駆動部材の動作に連動する。検出部は、シャッタ駆動部材がシャッタを閉鎖する方向に所定位置まで動作する場合、連動部材の動作によりディスク回転駆動部へのディスクの装着完了を検出する。
【００１４】
本発明にあっては、開放規制部材は、シャッタが挿脱口を閉じた状態で、シャッタの開放を規制する。
【００１５】
本発明にあっては、開放規制部材は、シャッタの開閉を駆動するシャッタ駆動部材に設けられている。
【００１６】
本発明にあっては、シャッタ駆動部材は平板状であり、ディスクの挿脱方向と略同一方向であって、シャッタ駆動部材の面方向に位置するディスク回転駆動部及びシャッタの間に配設されている。開放規制部材は、シャッタ駆動部材からシャッタと対向する側に延設されている。
【００１７】
本発明にあっては、開放規制部材の自由端部は平板状である。シャッタは、開放方向に開放規制部材の自由端部と当接可能な平面部を有する。
【発明の効果】
【００１８】
本発明によれば、誤挿入によるディスクの破損、損傷を防ぐことができる。
【図面の簡単な説明】
【００１９】
【図１】実施の形態１に係るディスク装置の構成例を示す説明図である。
【図２】実施の形態１に係るシフタ動作機構の構成例を示すブロック図である。
【図３】実施の形態１に係るシフタ動作機構を示す平面図である。
【図４】実施の形態１に係るシフタ動作機構を示す平面図である。
【図５】ギアの要部を示す平面図である。
【図６】シフタ連結レバーの要部を示す平面図である。
【図７】実施の形態１に係るシャッタ機構の斜視図である。
【図８】シャッタ機構の側断面を示す説明図である。
【図９】実施の形態２に係るシフタ動作機構を示す平面図である。
【図１０】実施の形態２に係るシフタ動作機構を示す平面図である。
【図１１】実施の形態２に係るシャッタ機構の斜視図である。
【発明を実施するための形態】
【００２０】
以下、本発明をその実施の形態に係る図面に基づき具体的に説明する。
実施の形態１
図１は、実施の形態１に係るディスク装置１の構成例を示す説明図である。図１の矢印は、ディスク装置１に対してディスクを挿入する方向（以下、挿入方向と呼ぶ）、及びディスク装置１からディスクを排出する方向（以下、排出方向と呼ぶ）を示している。
【００２１】
実施の形態１に係るディスク装置１は、スロットイン方式のディスク装置１であり、筐体１１、制御部１２、ディスク回転駆動部１３、光ピックアップ１４及びシフタ動作機構１５を含んで構成される。
以下では、プレーヤ、レコーダ、パーソナルコンピュータ等に搭載されている横置き型のディスク装置１を一例として説明する。しかし、ディスク装置１は横置き型に限られるものではなく、縦置き型であってもよい。
【００２２】
ディスク装置１の各構成部を包含する筐体１１は、略直方体の形状をなし、ディスクの排出方向側を正面とする。筐体１１の正面は、長手方向が横方向の矩形状である。筐体１１の正面には、その長手方向と略平行にスリット状の挿脱口１１ａが開設されている。挿脱口１１ａの長手方向の長さはディスクの直径と略同一であり、挿脱口１１ａの幅はディスクの厚さと略同一である。挿脱口１１ａからディスクの一部を差し込むことにより、ディスクのディスク装置１内部への挿入が開始される。
【００２３】
制御部１２は、ディスク装置１の各構成部を制御する。例えば、上記のディスクの挿入開始は、制御部１２の制御の下、行われる。
ディスク回転駆動部１３は、ディスクを挟持するクランパ、ターンテーブル、ディスクを回転させるスピンドルモータ等を含んで構成される。挿脱口１１ａに差し込まれたディスクは、図示しない搬送機構によりディスク回転駆動部１３へ搬送される。制御部１２は、ディスクがディスク回転駆動部１３への装着を完了したと判断した場合、スピンドルモータを駆動させ、ディスクを回転させる。
【００２４】
光ピックアップ１４は、制御部１２の制御によりディスクの記録又は再生をするためのレーザ光を発生する。また、光ピックアップ１４は、ディスクからの反射光を受光する。光ピックアップ１４は、受光した反射光を電気信号に光電変換し、制御部１２へ出力する。
【００２５】
図２は、実施の形態１に係るシフタ動作機構１５の構成例を示すブロック図である。
シフタ動作機構１５は、ディスクの誤挿入を防止するシャッタ機構６及びディスクのディスク回転駆動部１３への装着完了を検出するローディング完了スイッチ８の動作を担う構成部である。シフタ動作機構１５は、モータ２、ギア３、シフタ４、シフタ連結レバー（シャッタ駆動部材）５、シャッタ機構６、スイッチシフタ（連動部材）７及びローディング完了スイッチ（検出部）８を含んで構成される。
【００２６】
モータ２は、シャッタ機構６の動作及びローディング完了スイッチ８の入切に必要な駆動力を、ギア３を介してシフタ４に伝達する。制御部１２は、挿脱口１１ａからディスクの一部が挿入され、ディスクがディスク装置１内部の所定の位置に達したと判断した場合、モータ２に回転を開始させる。
シフタ４の動作はシフタ連結レバー５に伝達され、シフタ連結レバー５を動作させる。シフタ連結レバー５の動作はスイッチシフタ７に伝達され、スイッチシフタ７を動作させる。シフタ連結レバー５の動作はシャッタ機構６にも伝達され、シャッタ機構６を動作させる。スイッチシフタ７の動作はローディング完了スイッチ８に伝達され、ローディング完了スイッチ８を押圧又は解放する。ローディング完了スイッチ８が押圧された場合、ローディング完了スイッチ８は制御部１２へ所定の信号を送信する。ローディング完了スイッチ８から所定の信号を受信した制御部１２は、ディスク回転駆動部１３にディスクの回転を開始させる。
【００２７】
図３及び図４は、実施の形態１に係るシフタ動作機構１５を示す平面図である。図３は、シャッタ機構６が挿脱口１１ａを開いている状態を示している。図４は、シャッタ機構６が挿脱口１１ａを閉じている状態を示している。図３及び図４の白抜及び黒い太矢印は、各構成部の動作方向を示している。白抜矢印Ｃ１、黒い太矢印Ｃ３はシャッタ機構６が挿脱口１１ａを閉じる場合の各構成部材の動作方向を、白抜矢印Ｏ１、黒い太矢印Ｏ３はシャッタ機構６が挿脱口１１ａを開く場合の各構成部材の動作方向を示している。白抜矢印Ｃ１の方向は挿入方向と略同一であり、白抜矢印Ｏ１の方向は排出方向と略同一である。シフタ動作機構１５は、図示しないベースシャーシの上に形成されている。
【００２８】
モータ２は、排出方向側から見て、ディスク装置１の右端部であって、挿入及び排出方向の中央近傍に配置されている。モータ２は、モータ本体２ａとウォームギア２ｂとを備えている。ウォームギア２ｂは、モータ本体２ａにより回転され、ウォームホイールを有するギア３と噛合し、ギア３にモータ２の駆動力を伝達する。
【００２９】
ギア３は、第１ギア３１、第２ギア３２及び第３ギア３３を含んで構成される。第１ギア３１は、排出方向側から見てウォームギア２ｂの左側に隣接する。第１ギア３１、第２ギア３２及び第３ギア３３は、この順に排出方向側から見て左側へずれつつ排出方向へ配列する。第１ギア３１、第２ギア３２及び第３ギア３３は、図示しないベースシャーシから突設された軸により回転自在に支持されている。
【００３０】
図５は、ギア３の要部を示す平面図である。図５には、ギア３近傍のモータ２及びシフタ４の一部も示している。第１ギア３１は、同軸のギア３１ａとウォームホイール３１ｂとを含んで形成されている。ギア３１ａ及びウォームホイール３１ｂの径は略同一であり、ギア３１ａはウォームホイール３１ｂの上側に配置する。ウォームホイール３１ｂは、モータ２のウォームギア２ｂと噛合し、ギア３１ａは第２ギア３２と噛合する。
第３ギア３３は、同軸の径の大きなギア３３ａと径の小さなギア３３ｂとを含んで形成されている。ギア３３ａは、ギア３３ｂの上側に配置する。第１ギア３１のギア３１ａと噛合する第２ギア３２は、第３ギア３３のギア３３ａとも噛合している。そのため、ウォームギア２ｂの略水平方向の回転は、ウォームホイール３１ｂにより略鉛直方向に変換され、第３ギア３３まで伝達される。
【００３１】
シフタ４は、挿入及び排出方向を長手方向とする平面視矩形状の部材であり、排出方向側から見てモータ２及びギア３の左側に近接して設置されている。第３ギア３３のギア３３ｂと対向するシフタ４の側面には、ラック歯４ａが形成されている。ラック歯４ａは、ギア３３ｂと噛合しており、シフタ４はギア３３ｂの回転により挿入及び排出方向に並進移動をする。シフタ４は、ディスクが挿入される場合は方向Ｃ１へ、ディスクが排出される場合は方向Ｏ１へ移動する。
【００３２】
シフタ連結レバー５は、シフタ４とスイッチシフタ７とを連結するレバーであり、シフタ４とスイッチシフタ７との間に配設されている。シフタ連結レバー５は、シフタ４の動作をスイッチシフタ７へ伝達する部材であり、ディスク装置１に挿入されたディスクの面と平行な平板状部材である。シフタ連結レバー５は、略鉛直な支軸Ｐにより図示しないベースシャーシに対して回転自在に軸支されている。
【００３３】
図６は、シフタ連結レバー５の要部を示す平面図である。白抜矢印Ｃ２はシャッタ機構６が挿脱口１１ａを閉じる場合のシフタ連結レバー５の動作方向を、白抜矢印Ｏ２はシャッタ機構６が挿脱口１１ａを開く場合のシフタ連結レバー５の動作方向を示している。シフタ連結レバー５は、レバー５１、５２、シャッタアーム５３、サブレバー５４及びシャッタストッパ（開放規制部材）５５を含んで構成される。
【００３４】
レバー５１は、平面視略矩形のレバーであり、ベースシャーシに突設された支軸Ｐから略水平に延設されている。レバー５１の自由端部付近の下面には、ピン５１ａが下方へ向かって突設されている。
レバー５２は、平面視では１本の指状形状をなし、支軸Ｐとピン５１ａとを結ぶ線分に対し４時方向へ向けて、レバー５１の中央付近から延設されている。レバー５２の自由端部は、シフタ４の下面であって、かつシフタ４の排出方向側端部に達している。レバー５２の自由端部付近には孔５２ａが開設されている。レバー５２は、孔５２ａを挿通する軸によりシフタ４の排出方向側端部下面に軸支されている。
【００３５】
シフタ４が方向Ｃ１、Ｏ１へ移動する場合、シフタ４の排出方向側端部下面に軸支されたシフタ連結レバー５は、支軸Ｐを中心に夫々方向Ｃ２、Ｏ２へ回転する。Ｃ２は平面視反時計回りの方向、Ｏ２は平面視時計回りの方向である。
【００３６】
シャッタアーム５３は、シフタ連結レバー５の一部であり、ピン５１ａから支軸Ｐへ向かう直線方向側に向けて、略水平に延設されている。シャッタアーム５３の自由端部は、先端に向かって細くなる平面視略舌状の形状をなし、略水平な平板状をなす。レバー５１に対するシャッタアーム５３の付け根は、レバー５１の上面よりもレバー５１の肉厚程度高い位置へ屈曲している。シャッタアーム５３は、この高い位置へ屈曲した付け根の先端から略水平に延設されている。シャッタアーム５３は、支軸Ｐを中心に回転することにより、シャッタ機構６を動作させる。
【００３７】
サブレバー５４は、支軸Ｐとピン５１ａとを結ぶ線分に対し８時方向へ向けて、レバー５１の中央付近から延設され、さらにシャッタアーム５３の延びる方向と略平行な方向に屈曲するように延設されている。
シャッタストッパ５５は、サブレバー５４からシャッタアーム５３の延びる方向と略平行かつ略水平に延設されている。シャッタストッパ５５の自由端部は、平面視略Ｕ字形の形状をなし、略水平な平板状の部材からなる。サブレバー５４に対するシャッタストッパ５５の付け根は、レバー５１の下面よりもレバー５１の肉厚程度低い位置へ屈曲している。シャッタストッパ５５は、この低い位置へ屈曲した付け根の先端から略水平に延設されている。シャッタストッパ５５の自由端部の位置は、シャッタアーム５３の自由端部よりも支軸Ｐから近い位置にある。
【００３８】
なお、シャッタアーム５３及びシャッタストッパ５５の形状は、夫々上記の形状に限られず、平面視略矩形、平面視略円形、平面視略三角形等でもよい。
また、シャッタストッパ５５は、シャッタアーム５３から延設されてもよい。
さらに、シャッタアーム５３及びシャッタストッパ５５は、付け根から側面視斜め方向に延設されていてもよい。すなわち、シフタ４の動作に伴い回転するレバー５１から突設されるシャッタアーム５３の先端位置がレバー５１の水平面より高く、シャッタストッパ５５の先端位置がレバー５１の水平面より低い位置であればよい。
【００３９】
図７は、実施の形態１に係るシャッタ機構６の斜視図である。図８は、シャッタ機構６の側断面を示す説明図である。図７Ａ及び図８Ａは、シャッタ機構６が挿脱口１１ａを開いた状態を示している。図７Ｂ及び図８Ｂは、シャッタ機構６が挿脱口１１ａを閉じた状態を示している。図７の白抜矢印Ｃ２はシャッタ機構６が挿脱口１１ａを閉じる場合のシャッタアーム５３及びシャッタストッパ５５の動作方向を、図７の白抜矢印Ｏ２はシャッタ機構６が挿脱口１１ａを開く場合のシャッタアーム５３及びシャッタストッパ５５の動作方向を示している。
【００４０】
シャッタ機構６は、挿脱口１１ａとシフタ連結レバー５との間であって、排出方向側から見てディスク装置１の略中央に配設されている。シャッタ機構６は、シャッタ板（シャッタ）６１、ストッパ当接部（平面部）６１ａ、軸部６２、シャッタ支持台６３、シャッタ支持板６４及びばね６５を含んで構成される。
【００４１】
シャッタ板６１は、略矩形の板状部材であり、その長手方向はディスクの挿入及び排出方向と略直角かつ略水平な方向である。シャッタ板６１が横倒した状態にある場合、シャッタ板６１は挿脱口１１ａを開いている。シャッタ板６１が起立した状態にある場合、シャッタ板６１は挿脱口１１ａを閉じている。
【００４２】
ストッパ当接部６１ａは、シャッタ板６１の長手方向と略同一の長手方向を有する略矩形の板状部材であり、シャッタ板６１より小さい。ストッパ当接部６１ａは、排出方向側から見て起立した状態のシャッタ板６１の左下端部から、シャッタ板６１に対して略直角かつ排出方向へ、略水平な状態で突設されている。
軸部６２は、起立した状態のシャッタ板６１下端の両側縁から、夫々シャッタ板６１の略長手方向へ突設されている。
【００４３】
シャッタ支持台６３は、図示しないベースシャーシの上にねじ止めされたブロック状の部材であり、排出方向側から見てシャッタ板６１の左側に隣接して設けられている。
シャッタ支持板６４は、ベースシャーシの一部を上方へ切り起こして、排出方向側から見てＬ字状に折曲することにより形成された平板状部材である。シャッタ支持板６４は、排出方向側から見てシャッタ板６１の右側に隣接して設けられている。
【００４４】
シャッタ板６１は、軸部６２がシャッタ支持台６３及びシャッタ支持板６４の間で略水平に軸支されることにより、シャッタ支持台６３及びシャッタ支持板６４に支持されている。シャッタ板６１は、軸部６２を中心に回転して横倒及び起立することにより、挿脱口１１ａの開閉状態を実現する。
【００４５】
排出方向側から見て、シャッタ板６１から突出する右側の軸部６２には、ばね６５が設けられている。ばね６５は、例えば軸部６２に嵌め込まれたねじりコイルばねであり、シャッタ板６１を排出方向に横倒した状態から起立した状態へ付勢している。
【００４６】
図７Ｂ及び図８Ｂには、図示しないベースシャーシの上にねじ止めされたホルダ２０の一部が示されている。ホルダ２０は、シフタ動作機構１５をベースシャーシとの間で保持するフレーム部材である。起立した状態のシャッタ板６１の挿入方向側の面と対向する部分のホルダ２０には、シャッタ板６１の上端部まで延びた突出部２０ａが形成されている。
【００４７】
シャッタ板６１が起立した状態にある場合、シャッタ板６１の挿入方向側の面の上端部はホルダ２０の突出部２０ａに当接する。突出部２０ａに当接したシャッタ板６１は、突出部２０ａにより挿入方向への回転が規制される。そのため、シャッタ板６１が起立した状態から横倒可能な方向は、排出方向である。
【００４８】
図３及び図４に示すように、スイッチシフタ７は、挿入及び排出方向に対して略直角かつ略水平方向に伸びたブロック状部材であり、排出方向側から見てシフタ４の左側、シフタ連結レバー５から見て挿入方向側に隣接して設けられている。スイッチシフタ７の上面であって、かつ排出方向側から見てスイッチシフタ７の右端部には、ガイド溝７ａが形成されている。ガイド溝７ａは平面視略矩形をなし、その長手方向はスイッチシフタ７の長手方向と略同一である。
シフタ連結レバー５の下面から下方へ突設されたピン５１ａは、ガイド溝７ａに遊嵌され、ガイド溝７ａの側面を摺動するように構成されている。スイッチシフタ７は、ピン５１ａによりシフタ連結レバー５と遊着されている。スイッチシフタ７は、方向Ｃ２、Ｏ２へのシフタ連結レバー５の回転に連動して、ガイド溝７ａの側面に当接するピン５１ａにより夫々方向Ｃ３、Ｏ３に押進される。方向Ｃ３、Ｏ３は、方向Ｃ１、Ｏ１に対して略直角である。
排出方向側から見て、スイッチシフタ７の排出方向側の左側面の一部には、ピン溝７ｂがスイッチシフタ７の長手方向に沿って形成されている。そのため、排出方向側のスイッチシフタ７側面には、挿入及び排出方向の段差が生じている。
【００４９】
排出方向側から見て、ベースシャーシの左端かつ排出方向側端の角部には、基板が設けられている。この基板の上には、ローディング完了スイッチ８が実装されている。
ローディング完了スイッチ８は、直方体状のマイクロスイッチであり、スイッチシフタ７の排出方向側の側面と近接して対向する位置に配設されている。スイッチシフタ７と対向する、ローディング完了スイッチ８の挿入方向側の部分には、挿入方向へ向かってスイッチピン８ａが突設されている。スイッチピン８ａの先端は、円筒を周方向に四等分割した形状に形成されており、排出方向側から見てその右側面は円筒の側面に該当し、湾曲している。
【００５０】
シャッタ板６１が挿脱口１１ａを開いた状態にある場合、スイッチピン８ａはスイッチシフタ７のピン溝７ｂに遊嵌されている。シャッタ板６１が挿脱口１１ａを閉じた状態にある場合、スイッチピン８ａはスイッチシフタ７の側面により押圧されている。シフタ連結レバー５が回転可能な方向Ｃ２の端位置近くの所定位置まで方向Ｃ２へ向かって回転した場合、排出方向側から見てスイッチシフタ７のピン溝７ｂの右側面がスイッチピン８ａを押圧するように、ピン溝７ｂ及びローディング完了スイッチ８は位置決めされている。
【００５１】
なお、ローディング完了スイッチ８をトグルスイッチにより構成し、排出方向側から見てスイッチシフタ７のピン溝７ｂの右側面位置に弾性体の爪を設けてもよい。すなわち、スイッチシフタ７の移動によりこの爪がトグルスイッチのレバーを運動させて、ローディング完了スイッチ８のオン、オフを実現してもよい。
あるいは、スイッチシフタ７の排出方向側の側面にラック歯を設けると共に、ローディング完了スイッチ８の位置に当該ラック歯と噛合するギア及びこのギアの回転量を検出する回転検出素子を配設する。すなわち、回転検出素子がローディング開始から完了までのスイッチシフタ７の移動量を検出した場合、回転検出素子が制御部１２へローディング完了の信号を出力してもよい。
また、スイッチシフタ７の排出方向側の側面に色素を塗り、排出方向側から見てスイッチシフタ７のピン溝７ｂの右側面位置を境にして、当該側面を黒色部分と白色部分とに色分けしておく。また、ローディング完了スイッチ８の位置に光源と光センサとを配設する。すなわち、スイッチシフタ７の排出方向側の側面に対する光源の反射光を光センサに受光させ、光センサが当該側面の色変化を検出した場合、光センサが制御部１２へローディング完了の信号を出力してもよい。
【００５２】
次に、実施の形態１に係るディスク装置１のシフタ動作機構１５の動作について説明する。
ユーザがディスクの一部を挿脱口１１ａからディスク装置１に挿入する場合、所定の位置までディスクが挿入されたことを検出する搬入開始スイッチが、ディスク装置１には備えられている。シャッタ板６１が挿脱口１１ａを開いた状態にあり、搬入開始スイッチがディスクの挿入を検出した場合、搬入開始スイッチは制御部１２へ所定の信号を送信する。搬入開始スイッチから所定の信号を受信した制御部１２は、モータ２に回転を開始させる。回転によるモータ２の駆動力はギア３を介してシフタ４に伝達され、シフタ４は方向Ｃ１へ移動を開始する。方向Ｃ１へのシフタ４の移動は、シフタ連結レバー５を方向Ｃ２へ回転させる。シフタ連結レバー５の方向Ｃ２への回転は、スイッチシフタ７を方向Ｃ３へ移動させる。
【００５３】
図７Ａ及び図８Ａに示すように、シャッタ板６１が横倒して挿脱口１１ａが開かれた状態にある場合、シャッタ板６１がばね６５の付勢力により起立した状態に戻らないように、シャッタアーム５３はシャッタ板６１の上面と当接し、シャッタ板６１を上方から係止している。
【００５４】
シフタ連結レバー５が方向Ｃ２へ回転する場合、シフタ連結レバー５に設けられたシャッタアーム５３も方向Ｃ２へ回転する。シャッタアーム５３の方向Ｃ２への回転が継続する場合、シャッタアーム５３はシャッタ機構６の軸部６２よりも挿入方向側へ移動していく。図７Ｂ及び図８Ｂに示すように、シャッタ板６１は、シャッタアーム５３がシャッタ板６１から離反した場合、ばね６５の付勢力により軸部６２を中心に挿入方向へ回転して起立し、挿脱口１１ａを閉じる。また、シャッタ板６１が起立した場合、シャッタ板６１の上端部はホルダ２０の突出部２０ａと当接する。そのため、シャッタ板６１は挿入方向へのそれ以上の回転が規制される。シャッタ板６１が起立した状態にある場合、仮にユーザが新たなディスクを挿脱口１１ａからディスク装置１内部に挿入しようとしても、挿脱口１１ａを閉じているシャッタ板６１が新たなディスクの挿入を規制しているため、新たなディスクはディスク装置１内部に挿入されない。
【００５５】
シフタ連結レバー５が方向Ｃ２へ回転する場合、シフタ連結レバー５に設けられたシャッタストッパ５５も方向Ｃ２へ回転する。
シャッタ板６１が横倒した状態から起立した状態へ回転し、挿脱口１１ａが閉じられる状態になる直前に、シャッタストッパ５５はストッパ当接部６１ａの直下に移動してくる。シャッタ板６１が起立した状態になり、シャッタストッパ５５が方向Ｃ２への回転可能な限界位置に達した場合、シャッタストッパ５５の上面とストッパ当接部６１ａの下面とが当接する。そのため、シャッタ板６１は、ストッパ当接部６１ａを介してシャッタストッパ５５に係止されるので、排出方向に回転することができなくなる。
【００５６】
なお、シャッタストッパ５５の自由端部先端を爪のような形状にし、当該爪により、排出方向側から見て起立した状態のシャッタ板６１の左側端部を係止して、シャッタ板６１の排出方向への回転を規制する形態であってもよい。
【００５７】
シャッタ板６１が起立して挿脱口１１ａを閉じている場合、シャッタ板６１はばね６５により挿入方向へ付勢されている。しかし、このばねの付勢力はさほど強いものではなく、シャッタ板６１がストッパ当接部６１ａを介してシャッタストッパ５５に係止されていない場合、シャッタ板６１は指の押圧力程度の力で容易に排出方向に回転する。
ディスク回転駆動部１３に装着され、回転を開始したディスクは、突発的に破損する場合がある。この破損したディスクの破片が飛び散る初速度は時速数十ｋｍを超える。そのため、シフタ連結レバー５がシャッタストッパ５５を有していない場合、ディスクの破片がシャッタ板６１を排出方向に押し倒してディスク装置１外部へ飛び出す危険がある。しかし、実施の形態１に係るシャッタ機構６によれば、シャッタ板６１が挿脱口１１ａを閉じている場合、シャッタストッパ５５が排出方向へのシャッタ板６１の回転を規制するため、上記の危険はない。
【００５８】
スイッチシフタ７には、シフタ連結レバー５の回転を介して、シフタ４から動作が伝達される。シフタ４が方向Ｃ１へ移動する場合、スイッチシフタ７は方向Ｃ３へ移動する。スイッチシフタ７が方向Ｃ３へ移動する場合、排出方向側から見てスイッチシフタ７のピン溝７ｂの右側面は、ピン溝７ｂに遊嵌されているスイッチピン８ａの先端部の湾曲した側面を排出方向へ押圧する。これにより、スイッチピン８ａは排出方向へ押圧され、ローディング完了スイッチ８はオン状態になる。オン状態になったローディング完了スイッチ８は、ディスク回転駆動部１３へのディスクの装着完了を示す信号を制御部１２に送信する。ローディング完了スイッチ８からディスク回転駆動部１３へのディスクの装着完了を示す信号を受け付けた制御部１２は、ディスク回転駆動部１３にディスクの回転を開始させる。制御部１２は、光ピックアップ１４を制御して、ディスクに対して情報の記録又は再生を行う。
【００５９】
ユーザが、ディスク装置１を搭載した電子機器の操作部又はリモートコントローラ等を介して、制御部１２にディスクの排出を指示した場合、制御部１２はディスク回転駆動部１３にディスクの回転を停止させ、モータ２に上記とは逆の回転を開始させる。この逆回転によるモータ２の駆動力はギア３を介してシフタ４に伝達され、シフタ４は方向Ｏ１へ移動を開始する。方向Ｏ１へのシフタ４の移動は、シフタ連結レバー５を方向Ｏ２へ回転させる。シフタ連結レバー５の方向Ｏ２への回転は、スイッチシフタ７を方向Ｏ３へ移動させる。
【００６０】
スイッチシフタ７が方向Ｏ３へ移動する場合、ローディング完了スイッチ８のスイッチピン８ａは方向Ｏ３へ移動するスイッチシフタ７のピン溝７ｂに遊嵌される。これにより、スイッチピン８ａは押圧された状態から解放された状態に変わり、ローディング完了スイッチ８はオフ状態になる。
【００６１】
シフタ連結レバー５が方向Ｏ２へ回転する場合、シフタ連結レバー５に設けられたシャッタアーム５３及びシャッタストッパ５５も方向Ｏ２へ回転する。シャッタアーム５３の方向Ｏ２への回転が継続する場合、シャッタアーム５３の先端は起立した状態のシャッタ板６１に挿入方向側から当接する。また、シャッタストッパ５５の方向Ｏ２への回転が継続する場合、シャッタストッパ５５はストッパ当接部６１ａの直下から方向Ｏ２へ回転し、ストッパ当接部６１ａから離反する。シャッタストッパ５５により排出方向への回転が規制されていたシャッタ板６１は、シャッタストッパ５５による係止から解放され、排出方向への回転が可能になる。
【００６２】
シャッタアーム５３の方向Ｏ２への回転がさらに継続する場合、シャッタアーム５３はシャッタ板６１を排出方向に押圧する。シャッタアーム５３から押圧されたシャッタ板６１は、ばね６５の付勢力に抗して軸部６２を中心に排出方向に回転する。シャッタ板６１がシャッタアーム５３の押圧により排出方向に回転して、略水平に横倒した状態になり、挿脱口１１ａが開かれた場合、シフタ４は方向Ｏ１の所定の位置まで移動している。このシフタ４が方向Ｏ１の所定の位置へ達したことを検出する排出完了スイッチが、ディスク装置１には備えられている。挿脱口１１ａがシャッタ板６１により開かれた状態にあり、排出完了スイッチがシフタ４の所定の位置への移動を検出した場合、排出完了スイッチは制御部１２へ所定の信号を送信する。排出完了スイッチから所定の信号を受信した制御部１２は、モータ２の逆回転を停止させる。
【００６３】
モータ２の停止により、シフタ４、シフタ連結レバー５及びスイッチシフタ７の動作は停止する。このとき、図７Ａ及び図８Ａに示すように、シャッタアーム５３はシャッタ板６１がばね６５の付勢力により起立した状態に戻らないように、シャッタ板６１の上面と当接し、シャッタ板６１を上方から係止している。
【００６４】
従来のディスク装置では、モータの駆動力をシャッタアームに伝達する系列と、モータの駆動力をスイッチシフタに伝達する系列とは、別系列になっている。そのため、仮にモータの駆動力をシャッタアームに伝達する系列に突発的な不具合が生じた場合、挿脱口は閉じられず、開いた状態のままになるが、スイッチシフタは正常に動作してローディング完了スイッチをオン状態にする。かかる場合、挿脱口が開いた状態のまま、ディスクが回転し始めるため、回転中のディスクが破損等したとき、ディスクの破片が高速度でディスク装置外部へ放出される危険がある。また、挿脱口が開いたまま、ディスクが回転している状態で、ユーザが新たなディスクを誤挿入した場合、高速回転するディスクと新たに挿入されたディスクとが接触し、たいへん危険な状況になる。
【００６５】
しかしながら、実施の形態１に係るディスク装置１によれば、モータ２からの駆動力はギア２、シフタ４、シフタ連結レバー５、スイッチシフタ７の順に、一つの系列で伝達される。そのため、モータ２の駆動力を伝達する部材に不具合が生じた場合、モータ２の駆動力の伝達はその部材で止まり、モータ２の駆動力がスイッチシフタ７まで伝達されることはない。
例えばシフタ連結レバー５とスイッチシフタ７とを結合するピン５１ａが破損した場合、モータ２の駆動力はスイッチシフタ７には伝達されない。かかる場合、ディスクが挿脱口１１ａからディスク装置１内部に挿入されたとき、シフタ連結レバー５に設けられたシャッタアーム５３の回転により挿脱口１１ａは閉じた状態になる。しかし、スイッチシフタ７は動作しないため、ローディング完了スイッチ８はオフ状態のままであり、ディスクの回転が開始されることはない。したがって、実施の形態１に係るディスク装置１によれば、誤挿入によるディスクの破損、損傷を防ぐことができる。
【００６６】
実施の形態１に係るディスク装置１によれば、シャッタ板６１が挿脱口１１ａを閉じている場合、シャッタ板６１はホルダ２０の突出部２０ａに当接する。そのため、シャッタ板６１は挿入方向にそれ以上回転することはない。ディスクがディスク回転駆動部１３に装着された状態で、ユーザがさらにディスクをディスク装置１に挿入しようとしても、挿脱口１１ａはシャッタ板６１により閉じられていると共に、挿入方向へのシャッタ板６１の回転は規制されている。したがって、シャッタ板６１はディスクの誤挿入を防ぐことができる。
【００６７】
実施の形態１に係るディスク装置１によれば、シャッタ板６１が起立して挿脱口１１ａを閉じる場合、シャッタストッパ５５がシャッタ板６１から突設されたストッパ当接部６１ａに当接し、シャッタ板６１の排出方向への回転が規制される。そのため、回転中のディスクが突発的に破損した場合であっても、高速度で飛散するディスクの破片はシャッタ板６１によって止められ、ディスク装置１外部に飛び出す可能性はない。したがって、ディスク装置１を使用するユーザの安全性は担保される。
【００６８】
実施の形態１に係るディスク装置１によれば、シャッタ板６１を横倒又は起立させるシャッタアーム５３と、シャッタ板６１の排出方向への回転を規制するシャッタストッパ５５とは、別々の部材ではなく、共にシフタ連結レバー５に設けられている。そのため、ディスク装置１に係る機構の複雑化及び部品数の増大を抑制することができる。
また、シャッタアーム５３及びシャッタストッパ５５はシフタ連結レバー５に設けられているので、シャッタアーム５３及びシャッタストッパ５５の回転は、夫々シフタ連結レバー５の回転に連動する。すなわち、シャッタアーム５３及びシャッタストッパ５５へのモータ２の駆動力は、別系列の動作伝達機構を介して伝達されるのではない。そのため、ディスク装置１は、例えばディスクの排出時にちぐはぐな動作を回避することができる。ちぐはぐな動作とは、シャッタアーム５３が正常に動作してシャッタ板６１を排出方向へ回転しようとするが、シャッタストッパ５５に不具合が生じてシャッタストッパ５５がシャッタ板６１の排出方向への回転を規制したままになる動作である。あるいは、ちぐはぐな動作とは、シャッタアーム５３に不具合が生じてシャッタ板６１は起立したままにもかかわらず、シャッタストッパ５５は正常に動作してストッパ当接部６１ａから離反してしまう動作である。
【００６９】
実施の形態１に係るディスク装置１では、シャッタ板６１は回転して挿脱口１１ａを開閉するものであった。しかし、シャッタ板６１は、回転して挿脱口１１ａを開閉するものに限られず、排出方向側から見て上下又は左右にスライド移動することにより挿脱口１１ａを開閉するものでもよい。そのためには、シフタ連結レバー５の回転動作を、シャッタ板６１のスライド移動に変換する部材をディスク装置１に備えればよい。
【００７０】
実施の形態２
実施の形態２は、実施の形態１におけるシャッタアーム５３にシャッタストッパ５５の機能を持たせ、シャッタストッパ５５にシャッタアーム５３の機能を持たせる形態に関する。
【００７１】
図９及び図１０は、実施の形態２に係るシフタ動作機構１５を示す平面図である。図９は、シャッタ機構６が挿脱口１１ａを開いている状態を示している。図１０は、シャッタ機構６が挿脱口１１ａを閉じている状態を示している。図９及び図１０の白抜及び黒い太矢印は、各構成部の動作方向を示している。白抜矢印Ｃ１、黒い太矢印Ｃ３はシャッタ機構６が挿脱口１１ａを閉じる場合の各構成部材の動作方向を、白抜矢印Ｏ１、黒い太矢印Ｏ３はシャッタ機構６が挿脱口１１ａを開く場合の各構成部材の動作方向を示している。白抜矢印Ｏ１の方向は挿入方向と略同一であり、黒い太矢印Ｃ１の方向は排出方向と略同一である。
なお、白抜矢印Ｃ１、黒い太矢印Ｃ３、白抜矢印Ｏ１、黒い太矢印Ｏ３は、夫々図３及び図４の白抜矢印Ｃ１、黒い太矢印Ｃ３、白抜矢印Ｏ１、黒い太矢印Ｏ３とは逆向きである。従って、図６におけるシフタ連結レバー５の回転方向を示す白抜矢印Ｃ２、Ｏ２も、実施の形態２では逆向きになる。
【００７２】
図１１は、実施の形態２に係るシャッタ機構６の斜視図である。図１１Ａはシャッタ機構６が挿脱口１１ａを開いた状態を、図１１Ｂはシャッタ機構６が挿脱口１１ａを閉じた状態を示している。白抜矢印Ｃ２はシャッタ機構６が挿脱口１１ａを閉じる場合のシャッタアーム５３及びシャッタストッパ５５の動作方向を、白抜矢印Ｏ２はシャッタ機構６が挿脱口１１ａを開く場合のシャッタアーム５３及びシャッタストッパ５５の動作方向を示している。
【００７３】
シャッタアーム５３は、シフタ連結レバー５の一部であり、サブレバー５４から略水平に延設されている。サブレバー５４に対するシャッタアーム５３の付け根は、レバー５１の上面よりもレバー５１の肉厚程度高い位置へ屈曲している。シャッタアーム５３は、この高い位置へ屈曲した付け根の先端から略水平に延設されている。シャッタアーム５３は、支軸Ｐを中心に回転することにより、シャッタ機構６を動作させる。
【００７４】
シャッタストッパ５５は、ピン５１ａから支軸Ｐへ向かう直線方向側に向けて、略水平に延設されている。レバー５１に対するシャッタストッパ５５の付け根は、レバー５１の下面よりもレバー５１の肉厚程度低い位置へ屈曲している。シャッタストッパ５５は、この低い位置へ屈曲した付け根の先端から略水平に延設されている。シャッタストッパ５５の自由端部の位置は、シャッタアーム５３の自由端部よりも支軸Ｐから遠い位置にある。
【００７５】
シャッタ機構６のストッパ当接部６１ａは、シャッタ板６１の長手方向と略同一の長手方向を有する略矩形の板状部材であり、シャッタ板６１より小さい。ストッパ当接部６１ａは、排出方向側から見て起立した状態のシャッタ板６１の下端部中央から、シャッタ板６１に対して略直角かつ排出方向へ、略水平な状態で突設されている。
【００７６】
図９及び図１０に示すように、スイッチシフタ７の上面であって、かつ排出方向側から見てスイッチシフタ７の右端部には、ガイド溝７ａが形成されている。ガイド溝７ａは平面視略矩形をなし、その長手方向はスイッチシフタ７の長手方向と略同一である。
シフタ連結レバー５の下面から下方へ突設されたピン５１ａは、ガイド溝７ａに遊嵌され、ガイド溝７ａの側面を摺動するように構成されている。スイッチシフタ７は、ピン５１ａによりシフタ連結レバー５と遊着されている。スイッチシフタ７は、方向Ｃ２、Ｏ２へのシフタ連結レバー５の回転に連動して、ピン５１ａにより夫々方向Ｃ３、Ｏ３に押進される。方向Ｃ３、Ｏ３は、方向Ｃ１、Ｏ１に対して略直角である。
【００７７】
排出方向側から見て、スイッチシフタ７の排出方向側の左側面の一部には、ピン溝７ｂ、７ｃが形成されている。ピン溝７ｂは、排出方向側から見て略矩形をなし、スイッチシフタ７の長手方向に沿って形成されている。ピン溝７ｃは、排出方向側から見て略正方形をなす。ピン溝７ｃの大きさはローディング完了スイッチ８のスイッチピン８ａの先端部と略同一であり、スイッチピン８ａはピン溝７ｃに嵌入可能である。排出方向側のスイッチシフタ７側面には、ピン溝７ｂ、７ｃのために挿入及び排出方向の段差が生じている。
【００７８】
ローディング完了スイッチ８は、略直方体状のマイクロスイッチであり、スイッチシフタ７の排出方向側の側面と近接して対向する位置に配設されている。スイッチシフタ７と対向する、ローディング完了スイッチ８の挿入方向側の部分には、挿入方向へ向かってスイッチピン８ａが突設されている。スイッチピン８ａの先端部は丸みを帯びた側面を有し、先端に向かって細くなる形状に形成されている。
【００７９】
シャッタ板６１が挿脱口１１ａを開いた状態にある場合、スイッチピン８ａはスイッチシフタ７のピン溝７ｃに嵌入している。シャッタ板６１が挿脱口１１ａを閉じた状態にある場合、スイッチピン８ａはスイッチシフタ７のピン溝７ｂに遊嵌されている。シフタ連結レバー５が回転可能な方向Ｃ２の端位置近くの所定位置まで方向Ｃ２へ向かって回転した場合、スイッチピン８ａがピン溝７ｂに遊嵌されるように、ピン溝７ｂ及びローディング完了スイッチ８は位置決めされている。
【００８０】
次に、実施の形態２に係るディスク装置１のシフタ動作機構１５の動作について説明する。
ユーザがディスクの一部を挿脱口１１ａからディスク装置１に挿入する場合、所定の位置までディスクが挿入されたことを検出する搬入開始スイッチが、ディスク装置１には備えられている。シャッタ板６１が挿脱口１１ａを開いた状態にあり、搬入開始スイッチがディスクの挿入を検出した場合、搬入開始スイッチは制御部１２へ所定の信号を送信する。搬入開始スイッチから所定の信号を受信した制御部１２は、モータ２に回転を開始させる。回転によるモータ２の駆動力はギア３及びシフタ４を介してシフタ連結レバー５を方向Ｃ２へ回転させる。シフタ連結レバー５の方向Ｃ２への回転は、スイッチシフタ７を方向Ｃ３へ移動させる。
【００８１】
図１１Ａに示すように、シャッタ板６１が横倒して挿脱口１１ａが開かれた状態にある場合、シャッタ板６１がばね６５の付勢力により起立した状態に戻らないように、シャッタアーム５３はシャッタ板６１の上面と当接し、シャッタ板６１を上方から係止している。
【００８２】
シフタ連結レバー５が方向Ｃ２へ回転する場合、シフタ連結レバー５に設けられたシャッタアーム５３も方向Ｃ２へ回転する。シャッタアーム５３の方向Ｃ２への回転が継続する場合、シャッタアーム５３はシャッタ機構６の軸部６２よりも挿入方向側へ移動していく。図１１Ｂに示すように、シャッタ板６１は、シャッタアーム５３がシャッタ板６１から離反した場合、ばね６５の付勢力により軸部６２を中心に挿入方向へ回転して起立し、挿脱口１１ａを閉じる。
【００８３】
シフタ連結レバー５が方向Ｃ２へ回転する場合、シフタ連結レバー５に設けられたシャッタストッパ５５も方向Ｃ２へ回転する。
シャッタ板６１が横倒した状態から起立した状態へ回転し、挿脱口１１ａが閉じられる状態になる直前に、シャッタストッパ５５はストッパ当接部６１ａの直下に移動してくる。シャッタ板６１が起立した状態になり、シャッタストッパ５５が方向Ｃ２への回転可能な限界位置に達した場合、シャッタストッパ５５の上面とストッパ当接部６１ａの下面とが当接する。そのため、シャッタ板６１は、ストッパ当接部６１ａを介してシャッタストッパ５５に係止されるので、排出方向に回転することができなくなる。
【００８４】
スイッチシフタ７には、シフタ連結レバー５から動作が伝達される。シフタ連結レバー５が方向Ｃ２へ回転する場合、スイッチシフタ７は方向Ｃ３へ移動する。スイッチシフタ７が方向Ｃ３へ移動する場合、排出方向側から見てスイッチシフタ７のピン溝７ｃの左側面は、ピン溝７ｃに嵌入しているスイッチピン８ａの先端部の湾曲した側面を排出方向へ押圧する。スイッチピン８ａが押圧されたローディング完了スイッチ８は、いったんオフ状態になる。方向Ｃ３へのスイッチシフタ７の移動が継続し、スイッチピン８ａがスイッチシフタ７のピン溝７ｂに遊嵌された場合、スイッチピン８ａは押圧状態から開放状態になる。これにより、ローディング完了スイッチ８は再びオン状態になる。オン状態になったローディング完了スイッチ８は、ディスク回転駆動部１３へのディスクの装着完了を示す信号を制御部１２に送信する。ローディング完了スイッチ８からディスク回転駆動部１３へのディスクの装着完了を示す信号を受け付けた制御部１２は、ディスク回転駆動部１３にディスクの回転を開始させる。制御部１２は、光ピックアップ１４を制御して、ディスクに対して情報の記録又は再生を行う。
【００８５】
ユーザが、ディスク装置１を搭載した電子機器の操作部又はリモートコントローラ等を介して、制御部１２にディスクの排出を指示した場合、制御部１２はディスク回転駆動部１３にディスクの回転を停止させ、モータ２に上記とは逆の回転を開始させる。この逆回転によるモータ２の駆動力はギア３及びシフタ４を介して、シフタ連結レバー５及びスイッチシフタ７に伝達される。シフタ連結レバー５の方向Ｏ２への回転は、スイッチシフタ７を方向Ｏ３へ移動させる。
【００８６】
シフタ連結レバー５が方向Ｏ２へ回転する場合、シフタ連結レバー５に設けられたシャッタアーム５３及びシャッタストッパ５５も方向Ｏ２へ回転する。シャッタストッパ５５の方向Ｏ２への回転が継続する場合、シャッタストッパ５５はストッパ当接部６１ａの直下から方向Ｏ２へ回転し、ストッパ当接部６１ａから離反する。シャッタストッパ５５により排出方向への回転が規制されていたシャッタ板６１は、シャッタストッパ５５による係止から解放され、排出方向への回転が可能になる。
シャッタストッパ５５がストッパ当接部６１ａから離反する場合、方向Ｏ２へ回転を継続するシャッタアーム５３の先端は起立した状態のシャッタ板６１に挿入方向側から当接する。
【００８７】
シャッタアーム５３の方向Ｏ２への回転がさらに継続する場合、シャッタアーム５３はシャッタ板６１を排出方向に押圧する。シャッタアーム５３から押圧されたシャッタ板６１は、ばね６５の付勢力に抗して軸部６２を中心に排出方向に回転する。シャッタ板６１は、シャッタアーム５３の押圧によりさらに排出方向に回転して、略水平に横倒した状態になる。
【００８８】
スイッチシフタ７が方向Ｏ３へ移動する場合、排出方向側から見てピン溝７ｂの右側面は、ピン溝７ｂに遊嵌されているスイッチピン８ａの先端部の湾曲した側面を排出方向へ押圧する。これにより、ローディング完了スイッチ８はいったんオフ状態になる。シフタ連結レバーの方向Ｏ２への回転が継続し、挿脱口１１ａが開かれた場合、スイッチシフタ７は、ピン溝７ｃがスイッチピン８ａと対向する位置まで移動する。スイッチピン８ａがピン溝７ｃに嵌入し、押圧状態から開放状態になる場合、ローディング完了スイッチ８はオン状態になり、制御部１２へ所定の信号を送信する。ローディング完了スイッチ８から所定の信号を受信した制御部１２は、モータ２の逆回転を停止させる。
【００８９】
モータ２の停止により、シフタ４、シフタ連結レバー５及びスイッチシフタ７の動作は停止する。このとき、図１１Ａに示すように、シャッタアーム５３はシャッタ板６１がばね６５の付勢力により起立した状態に戻らないように、シャッタ板６１の上面と当接し、シャッタ板６１を上方から係止している。
【００９０】
実施の形態２は以上の如き構成にしてあり、その他の構成及び作用は実施の形態１と同様であるので、対応する部分には同一の参照番号を付してその詳細な説明を省略する。
【００９１】
実施の形態１又は２は、何れも本発明を実施するにあたっての具体化の一例を示したものに過ぎず、これによって本発明の技術的範囲が限定的に解釈されてはならないものである。すなわち、本発明はその精神又はその主要な特徴から逸脱することなく、様々な形で実施することができる。
【符号の説明】
【００９２】
１          ディスク装置
１１        筐体
１１ａ      挿脱口
１３        ディスク回転駆動部
１５        シフタ動作機構
２          モータ
３          ギア
４          シフタ
５          シフタ連結レバー
５１、５２  レバー
５１ａ      ピン
５３        シャッタアーム
５４        サブレバー
５５        シャッタストッパ
６          シャッタ機構
６１        シャッタ板
６１ａ      ストッパ当接部
６２        軸部
６３        シャッタ支持台
６４        シャッタ支持板
６５        ばね
７          スイッチシフタ
７ａ        ガイド溝
７ｂ、７ｃ  ピン溝
８          ローディング完了スイッチ
８ａ        スイッチピン
２０        ホルダ
２０ａ      突出部
【図１】
2011108332.tif 000003
【図２】
2011108332.tif 000004
【図３】
2011108332.tif 000005
【図４】
2011108332.tif 000006
【図５】
2011108332.tif 000007
【図６】
2011108332.tif 000008
【図７】
2011108332.tif 000009
【図８】
2011108332.tif 000010
【図９】
2011108332.tif 000011
【図１０】
2011108332.tif 000012
【図１１】
2011108332.tif 000013